(57)【特許請求の範囲】
【請求項１】
パラボラ反射鏡の焦点位置近傍に位置される放射器取付体において、
前記パラボラ反射鏡に固定されるアームに固定されると共に、第１放射器が固定される支持金具と、
第２放射器が固定されるコンバータ取付部と、該コンバータ取付部から延伸するアーム部とからなり、前記支持金具に対して回動可能に固着される可動金具とを備え、
前記可動金具のアーム部には第１円弧状溝と該第１円弧状溝に略直交する第２円弧状溝が形成されており、該第１円弧状溝および該第２円弧状溝にそれぞれ摺動可能に係合する第１係合手段および第２係合手段が前記支持金具に固着されることにより、前記可動金具が前記支持金具に対して回動可能とされており、前記第１円弧状溝および前記第２円弧状溝の中心を、前記第１放射器の中心と一致させることにより、前記可動金具を回動する場合に、その回動中心が前記第１放射器の中心となることを特徴とする放射器取付体。
【請求項２】
前記第１円弧状溝に摺動可能に係合する前記第１係合手段が前記第１円弧状溝に対して半固定とされ、前記第２係合手段が前記第２円弧状溝に対して緊締可能とされていることを特徴とする請求項１記載の放射器取付体。
【請求項３】
前記コンバータ取付部の近傍に前記第２円弧状溝が形成されており、該第２円弧状溝に沿って受信地域標示部の目盛りが付されていることを特徴とする請求項１あるいは２記載の放射器取付体。
【発明の詳細な説明】
【０００１】
【発明が属する技術分野】
本発明は、２つの衛星から送信される電波を受信するようにしたマルチビームアンテナが備える放射器取付体に関するものである。
【０００２】
【従来の技術】
現在、放送衛星は複数台打ち上げられており、複数の放送衛星からの電波を受信するには、それぞれの放送衛星ごとに衛星放送受信アンテナを設置するようにしている。このため、複数台の衛星放送アンテナが必要となり、広い設置面積を必要としていた。これを解決するために、特開平６−６９７２２号公報に記載されているようなマルチビームアンテナが提案されている。
このマルチビームアンテナの構成を図５（ａ）（ｂ）に示す。図５（ａ）はマルチビームアンテナの正面図であり、図５（ｂ）はその側面図である。
【０００３】
図５（ａ）（ｂ）に示すマルチビームアンテナは、パラボラ反射鏡１２４と、パラボラ反射鏡１２４に一端が固定された放射器取付アーム１１７と、放射器取付アーム１１７の他端に固定された取付体１０１と、取付体１０１に固着された第１放射器１０２，第２放射器１０７とから構成されている。また、放射器取付アーム１１７は２本のステー１２５により補強されてパラボラ反射鏡１２４に固着されている。
【０００４】
このような構成のマルチビームアンテナは、マスト固定金具１２７によりマスト１２６に固定されている。マルチビームアンテナをマスト１２６に固定する際には、マスト固定金具１２７に備えられている方位角固定ボルト１２８を緩めて、衛星の位置する方位にマルチビームアンテナを向け、ついで、仰角固定ボルト１２９を緩めて、衛星の位置する仰角方向にマルチビームアンテナを向ける。そして、仰角固定ボルト１２９および方位角固定ボルト１２８を緊締することによりマルチビームアンテナを衛星の方向に向けるようにする。
【０００５】
次に、取付体１０１，第１放射器１０２，第２放射器１０７の構成部分を拡大して図６および図７に示すが、図６はその斜視図、図７はその正面図である。
これらの図において、放射器取付アーム１１７の先端にベース部材１１５が取付ボルトにより固定されている。このベース部材１１５に取付体１０１は回動可能に固着されている。この場合の回動中心は枢支部１１１であり、取付体１０１をベース部材１１５に対して回動すると、取付体１０１に形成された円弧状溝１３１内を仰角固定子１１２が摺動していくようになる。そこで、円弧状溝１３１の近傍に表示された仰角差表示目盛りが仰角固定子１１２の位置において、マルチビームアンテナが設置されている都市の仰角差となるように取付体１０１を回動して、仰角固定子１１２を緊締する。
【０００６】
ついで、方位角固定ボルト１２８と仰角固定ボルト１２９を緩めてマルチビームアンテナの方位角および仰角を微調して、第１放射器１０２により２つの衛星のうちの仰角の高い方から送信された電波を最良に受信できるように調整する。
そして、締着手段１１４を緩めて第２放射器１０７が固着されている可動台１０６を上下に移動させて第２放射器１０７により他方の衛星から送信された電波が最良に受信できるように調整する。この時、締着手段１１４は取付体１０１の折曲部に形成された長孔１３２内を摺動する。そして、調整後に締着手段１１４を緊締する。
これにより、第１放射器１０２および第２放射器１０７により、それぞれ異なる放送衛星から送信された電波を受信することができるようになる。
【０００７】
【発明が解決しようとする課題】
このように、従来のマルチビームアンテナにおいては、２つの放射器がパラボラ反射鏡の焦点位置を中心にして、取付位置が調整されて２つの衛星から送信された電波を受信できるようにしている。すなわち、２つの放射器を、受信する２つの衛星間の離隔度に応じた間隔と全国の受信地点で生じる仰角差をもって配置する必要がある。
このため、従来のマルチビームアンテナにおいては、衛星間の仰角差と、放射器を支持している支持手段に表示された受信地点を示す目盛りによる仰角差とが一致している必要があるが、全国の受信地点での２つの衛星の仰角差をすべて支持手段に表示することは不可能であるという問題点があった。
さらに、すべての受信地点が付されていない目盛りを参照して放射器の回転角度を設定することから、放射器の正確な固定を行うことができず最良に受信するための調整が煩雑になると共に、その調整構造が複雑になるという欠点があった。
【０００８】
そこで、本発明は、最良の受信を行えるように２つの放射器の調整を容易に行えると共に、調整構造の簡易な放射器取付体を提供することを目的としている。
【０００９】
【課題を解決するための手段】
上記目的を達成するために、本発明の放射器取付体は、パラボラ反射鏡の焦点位置近傍に位置される放射器取付体において、前記パラボラ反射鏡に固定されるアームに固定されると共に、第１放射器が固定される支持金具と、第２放射器が固定されるコンバータ取付部と、該コンバータ取付部から延伸するアーム部とからなり、前記支持金具に対して回動可能に固着される可動金具とを備え、前記可動金具のアーム部には第１円弧状溝と該第１円弧状溝に略直交する第２円弧状溝が形成されており、該第１円弧状溝および該第２円弧状溝にそれぞれ摺動可能に係合する第１係合手段および第２係合手段が前記支持金具に固着されることにより、前記可動金具が前記支持金具に対して回動可能とされており、前記第１円弧状溝および前記第２円弧状溝の中心を、前記第１放射器の中心と一致させることにより、前記可動金具を回動する場合に、その回動中心が前記第１放射器の中心となるようにしている。
【００１０】
また、前記放射器取付体において、前記第１円弧状溝に摺動可能に係合する前記第１係合手段が前記第１円弧状溝に対して半固定とされ、前記第２係合手段が前記第２円弧状溝に対して緊締可能とされている。
さらに、前記コンバータ取付部の近傍に前記第２円弧状溝が形成されており、該第２円弧状溝に沿って受信地域標示部の目盛りを付すようにしている。
【００１１】
このような本発明によれば、第１放射器により受信すべき仰角の高い衛星の一方から送信された電波を最良の状態で受信できるように調整した後に、第１放射器を中心にして可動金具を回動させるだけで、第２放射器を受信すべき他方の衛星から送信された電波を最良に受信することができるように調整することができる。
従って、第１放射器および第２放射器を２つの衛星から送信された電波を最良の状態で受信することができるように容易に調整することができる。
【００１２】
【発明の実施の形態】
本発明の放射器取付体を備えるマルチビームアンテナの構成例を図１（ａ）（ｂ）に示す。図１（ａ）はマルチビームアンテナの正面図であり、同図（ｂ）はその側面図である。
図１（ａ）（ｂ）に示すマルチビームアンテナは、パラボラ反射鏡１と、パラボラ反射鏡１に一端が固定されたアーム３と、アーム３の他端に固定された２つの放射器が取り付けられる本発明にかかる放射器取付体４と、放射器取付体４に固着された第１放射器１０，第２放射器１２とから構成されている。また、マルチビームアンテナはオフセットパラボラアンテナとされている。
【００１３】
このような構成のマルチビームアンテナは、マウント金具５により支柱２に固定されている。マルチビームアンテナを支柱２に固定する際には、マウント金具５の側面に備えられているマスト取付ボルト７を緩めて、衛星の位置する方位にマルチビームアンテナを向け、ついで、仰角調整ボルト６を緩めて、衛星の位置する仰角方向にマルチビームアンテナを向ける。そして、仰角調整ボルト６およびマスト取付ボルト７を緊締することによりマルチビームアンテナを衛星の方向に向けることができる。
【００１４】
次に、本発明にかかる放射器取付体４の構成を詳細に図２ないし図４に示すが、図２は放射器取付体４の正面図、図３はその一部詳細図、図４は放射器取付体４の側面図である。
これらの図に示すように、一端がパラボラ反射鏡１に固定されたアーム３の先端に支持金具１５と一体にされたアーム取付部２１が嵌合されて支持金具１５がアーム３に固定されている。この支持金具１５には第１コンバータ１１が一体化された第１放射器１０が固定されている。
【００１５】
また、支持金具１５には、可動金具１６が回動可能に固着されている。可動金具１６の一端に形成されているコンバータ取付部１６−２には、第２放射器１２と一体化された第２コンバータ１３が２本の給電部固定ボルト２３により固定されている。さらに、コンバータ取付部１６−２から延伸するアーム部１６−１には、コンバータ取付部１６−２の近傍に第２円弧状溝Ｂと、アーム部１６−１の先端近傍に第１円弧状溝Ａが形成されている。第２円弧状溝Ｂには固定ボルト２２が摺動可能に係合されて、その固定ボルト２２は支持金具１５に螺着されている。また、第２円弧状溝Ｂに沿ってマルチビームアンテナを設置する地域を示す受信地域標示部の目盛りが付されている。
【００１６】
また、アーム部１６−１の先端部に形成されている第１円弧状溝Ａにはボルト１５−２が摺動可能に係合されており、そのボルト１５−２は支持金具１５に固着されている。この第１円弧状溝Ａにボルト１５−２が係合している様子を図３に示す。図３に示すように支持金具１５にはリング状突起部１５−１が突出するよう形成されており、このリング状突起部１５−１は可動金具１６に形成された第１円弧状溝Ａに摺動可能に挿通されて、第１円弧状溝Ａからその先端が突出されている。さらに、リング状突起部１５−１の内側にはネジが形成されており、このネジにボルト１５−２が螺合されている。従って、ボルト１５−２を支持金具１５に緊締してもボルト１５−２は第１円弧状溝Ａ内を摺動可能とされ、可動金具１６は支持金具１５に対して回動することができる。
【００１７】
なお、第１コンバータ１１が一体化された第１放射器１０は、第１放射器１０の外形に一致する載置溝が形成された放射器固定台１７に載置されて、その上から放射器押さえ金具１８が押さえボルト１９により放射器固定台１７に結合されている。これにより、放射器押さえ金具１８と放射器固定台１７とで第１放射器１０が挟持されて、支持金具１５に固着されている。放射器固定台１７は図４に示すように放射器固定台取付ボルト２０により支持金具１５に固着されている。
また、第１円弧状溝Ａの円弧の中心は第１放射器１０の中心Ｏと等しくされていると共に、第２円弧状溝Ｂの円弧の中心も第１放射器１０の中心Ｏと等しくされている。これにより、可動金具１６を回動する場合に、その回動中心が第１放射器１０の中心Ｏとなる。
【００１８】
さらに、第１放射器１０と第２放射器１２との間隔は、受信する２つの衛星の受信点での離隔度と、第１放射器１０と第２放射器１２が形成する２本のビームの離隔度が一致する寸法に設定されている。
さらにまた、第１放射器１０で受信された信号は、第１コンバータ１１により中間周波数に変換されて、第１コネクタ１１−１からチューナに向けて出力され、第２放射器１２で受信された信号は、第２コンバータ１３により中間周波数に変換されて、第２コネクタ１２−１からチューナに向けて出力される。
【００１９】
次に、このように構成された放射器取付体４を備えるマルチビームアンテナにより、２つの衛星から送信された電波を受信できるように２つの放射器の取付位置を調整する方法を説明する。
まず、図１に示すマウント金具５のマスト取付ボルト７と、仰角調整ボルト６を緩めて、パラボラ反射鏡１の方位角および仰角が衛星の方位角および仰角に一致するよう調整する。このとき、第１放射器１０が仰角の高い方の衛星から送信された電波を最良の状態で受信することができるようにパラボラ反射鏡１の方位角および仰角を調整する。この調整は、第１コンバータ１１から出力される中間周波数に変換された信号の強度が最大になるように行う。
【００２０】
ついで、固定ボルト２２を緩めて可動金具１６を回動させて、第２放射器１２が残る方の衛星から送信された電波を最良の状態で受信することができるように調整する。この調整は、第２コンバータ１３から出力される中間周波数に変換された信号の強度が最大になるように行う。また、可動金具１６の回動位置の目安として、受信地域標示部の目盛りに付された受信地点を参照すれば、その調整を容易に行えるようになる。
本発明にかかる放射器取付体４を備えるようにすると、このような簡易な調整を行うだけで、第１放射器１０および第２放射器１２により２つの衛星から送信された電波を受信することができるようになる。
【００２１】
これは、固定とされた第１放射器１０を回転中心として第２放射器１２を回転移動させる構造としたからであり、さらに、可動金具１６に第１円弧状溝Ａと第１円弧状溝Ａに略直交する第２円弧状溝Ｂを設け、第１円弧状溝Ａを回転移動の中心とし、第２円弧状溝Ｂを回転移動のガイドとしたので、第２放射器１２を安定に移動することができる。なお、ボルト１５−２は第１円弧状溝Ａに対し半固定とされているので、第２円弧状溝Ｂに緊締されている固定ボルト２２を緩めるだけで第２放射器１２を回転移動することができる。
また、可動金具１６が支持金具１５に対して回転移動できる範囲は、受信地点で２つの衛星を受信する際に生じる仰角の差を十分カバーできる角度範囲とされる。
【００２２】
また、パラボラ反射鏡１の焦点と第１放射器１０，第２放射器１２との位置は、受信する２つの衛星の送信出力差に応じて調整するようにする。すなわち、２つの衛星の送信出力が同等の場合、２つの放射器の中間に焦点が位置するよう設定して、２つのビームの性能を同じにする。また、２つの衛星に送信出力差がある場合は、送信出力の小さい衛星から送信される電波を受信する放射器を焦点に近づけるようにする。この近づける度合いは衛星の送信出力差に比例させる。このように、送信出力の小さい衛星を受信するビームの利得を上昇させることにより、受信する２つの衛星から送信された電波を受信したときの画質が同一になるようにする。
【００２３】
なお、第１放射器１０と第２放射器１２とで受信する衛星放送は、ＢＳ放送とＢＳ放送、ＢＳ放送とＣＳ放送、ＣＳ放送とＣＳ放送のいずれの組み合わせでも可能とされる。
この際、直線偏波を受信する場合は、その放射器の偏波方向が、受信する電波の偏波方向に一致するようその放射器を回転調整する。
【００２４】
【発明の効果】
本発明は以上のように構成されているので、第１放射器により受信すべき仰角の高い衛星から送信された電波を最良の状態で受信できるように調整した後に、第１放射器を中心にして可動金具を回動させるだけで、第２放射器を受信すべき他方の衛星から送信された電波を最良に受信することができるように調整することができる。
従って、第１放射器および第２放射器を２つの衛星から送信された電波を最良の状態で受信することができるように簡単に調整することができる。また、放射器取付体が部品点数の少ない簡単な構造とされているので、そのコストを低減することができる。
【図面の簡単な説明】
【図１】本発明の放射器取付体を備えるマルチビームアンテナの構成を示す正面図、および側面図である。
【図２】本発明にかかる放射器取付体の構成を示す正面図である。
【図３】本発明にかかる放射器取付体の一部を拡大して示す図である。
【図４】本発明にかかる放射器取付体の構成を示す側面図である。
【図５】従来のマルチビームアンテナの構成を示す正面図、および側面図である。
【図６】従来のマルチビームアンテナにおける放射器を取り付ける部分の構成を示す斜視図である。
【図７】従来のマルチビームアンテナにおける放射器を取り付ける部分の構成を示す正面図である。
【符号の説明】
１  パラボラ反射鏡
２  支柱
３  アーム
４  放射器取付体
５  マウント金具
６  仰角調整ボルト
７  マスト取付ボルト
１０  第１放射器
１１  第１コンバータ
１２  第２放射器
１３  第２コンバータ
１５  支持金具
１６  可動金具
１７  放射器固定台
１８  放射器押さえ金具
１９  押さえボルト
２０  放射器固定台取付ボルト
２１  アーム取付部
２２  固定ボルト
２３  給電部固定ボルト
【図１】
0003727734.tif 000002
【図２】
0003727734.tif 000003
【図３】
0003727734.tif 000004
【図４】
0003727734.tif 000005
【図５】
0003727734.tif 000006
【図６】
0003727734.tif 000007
【図７】
0003727734.tif 000008